(57)【要約】【課題】撮像処理の仕様に応じて光学素子を駆動させるレンズ装置がカメラボディと着脱可能に装着されるカメラシステムにおいて、低コストで、カメラボディから着脱可能なレンズ装置が外されたときに瞬時に電源供給を遮断するカメラシステムを提供する。【解決手段】レンズ装置１１０は、カメラボディ１００と電気的に接続される接続端子２１３と、接続端子２１３を介して電気的に接続されたことをカメラボディ１００に通知するとともに、接続端子２１３を介して送信されてくる仕様に関する情報を受信する接続通知／仕様受信部５１０を有し、カメラボディ１００は、レンズ装置１１０側に設けられている接続端子２１３と電気的に接続される接続端子２０３と、接続端子２０３を介してレンズ駆動部５００と電気的に接続されたことを検出するとともに、この接続端子２１３を介して仕様に関する情報をレンズ駆動部５００に送信する接続通知／仕様送信部４４０とを有する。【選択図】  図４
2009151117.tif 000002
【特許請求の範囲】
【請求項１】
撮像処理の仕様に応じて光学素子を駆動させる駆動手段を内蔵するレンズ装置が、着脱可能な撮像装置において、
上記レンズ装置に内蔵された駆動手段と電気的に接続される接続端子と、
上記接続端子を介して上記レンズ装置に内蔵された駆動手段と電気的に接続されたことを検出する接続検出手段と、
上記接続検出手段による検出結果に基づいて、上記レンズ装置に内蔵された駆動手段に電源を供給する制御手段と、
上記接続検出手段に用いられる接続端子を介して、上記仕様に関する情報を、上記レンズ装置に内蔵された駆動手段に送信する仕様送信手段とを備える撮像装置。
【請求項２】
上記レンズ装置が装着されたことを検出する装着検出手段を更に備え、
上記制御手段は、上記装着検出手段により上記レンズ装置が装着されたことが検出され、かつ、上記接続検出手段により上記接続端子を介して上記レンズ装置に内蔵された駆動手段と電気的に接続されたことが検出されたときのみ、該レンズ装置に電源を供給することを特徴とする請求項１記載の撮像装置。
【請求項３】
上記制御手段は、上記レンズ装置に内蔵された駆動手段に電源を供給する電源供給手段と、該レンズ装置に内蔵された駆動手段との間で通信を行うことにより該レンズ装置の動作を制御する通信制御手段とを有し、
上記通信制御手段は、上記電源供給手段が上記レンズ装置に内蔵された駆動手段への電源供給を開始した後に、該駆動手段との通信を開始するとともに、該電源供給手段が該駆動手段への電源供給を終了する前に、該駆動手段との通信を終了することを特徴とする請求項１記載の撮像装置。
【請求項４】
撮像処理の仕様に応じて光学素子を駆動させる駆動手段を内蔵するレンズ装置が、着脱可能な撮像装置の制御方法において、
接続端子を介して上記レンズ装置に内蔵された駆動手段と電気的に接続されたことを検出する接続検出ステップと、
上記接続検出ステップによる検出結果に基づいて、上記レンズ装置に内蔵された駆動手段に電源を供給する電源供給ステップと、
上記接続検出ステップで用いられる接続端子を介して、上記仕様に関する情報を上記レンズ装置に内蔵された駆動手段に送信する仕様送信ステップとを有する撮像装置の制御方法。
【請求項５】
撮像装置と着脱可能なレンズ装置において、
上記撮像装置と電気的に接続される接続端子と、
上記接続端子を介して上記撮像装置と電気的に接続されたことを、該撮像装置に通知する接続通知手段と、
上記接続通知手段が電気的に接続されたことを通知した撮像装置から供給される電源によって光学素子を駆動させる駆動手段と、
上記接続通知手段に用いられる接続端子を介して送信されてくる上記撮像装置の仕様に関する情報を受信する仕様受信手段とを備え、
上記駆動手段は、上記仕様受信手段により受信された仕様に関する情報に応じて光学素子を駆動させることを特徴とするレンズ装置。
【請求項６】
撮像装置と着脱可能なレンズ装置の制御方法において、
接続端子を介して上記撮像装置と電気的に接続されたことを、該撮像装置に通知する接続通知ステップと、
上記接続通知ステップが電気的に接続されたことを通知した撮像装置から供給される電源によって光学素子を駆動させる駆動ステップと、
上記接続通知ステップに用いられる接続端子を介して送信されてくる上記撮像装置の仕様に関する情報を受信する仕様受信ステップとを有し、
上記駆動ステップでは、上記仕様受信ステップにより受信された仕様に関する情報に応じて光学素子を駆動させることを特徴とするレンズ装置の制御方法。
【請求項７】
撮像装置と、該撮像装置と着脱可能なレンズとからなる撮像システムにおいて、
上記レンズ装置は、上記撮像装置と電気的に接続される接続端子と、該接続端子を介して該撮像装置と電気的に接続されたことを該撮像装置に通知する接続通知手段と、該接続通知手段が電気的に接続されたことを通知した撮像装置から供給される電源によって光学素子を駆動させる駆動手段と、該接続通知手段に用いられる接続端子を介して送信されてくる該撮像装置の仕様に関する情報を受信する仕様受信手段と有し、
上記駆動手段は、上記仕様受信手段により受信された仕様に関する情報に応じて光学素子を駆動させ、
上記撮像装置は、上記レンズ装置の駆動手段と電気的に接続される接続端子と、該接続端子を介して該レンズ装置の駆動手段と電気的に接続されたことを検出する接続検出手段と、該接続検出手段による検出結果に基づいて該レンズ装置の駆動手段に電源を供給する制御手段と、該接続検出手段に用いられる接続端子を介して、上記仕様に関する情報を該レンズ装置の仕様受信手段に送信する仕様送信手段とを有することを特徴とする撮像システム。
【発明の詳細な説明】
【技術分野】
【０００１】
本発明は、レンズが着脱可能な撮像装置、この撮像装置の制御方法、撮像装置と着脱可能なレンズ装置、このレンズ装置の制御方法、及び、撮像装置とレンズとが着脱可能な撮像システムに関するものである。
【背景技術】
【０００２】
被写体を撮像するカメラ装置には、用途に応じてレンズが着脱可能に装着されるものがある。レンズが装着されたことを単一のセンサによって検出する場合には、レンズが不完全に装着されたときにもレンズへ電源を供給する電源供給端子に電圧を印加したり、センサの故障によってレンズを装着していないにも拘わらず電源供給端子に電圧を印加したりする虞があった。
【０００３】
特許文献１には、レンズを装着するための接合面にレンズの装着を検出する複数の検出手段を配置して、これらの検出手段の全てがレンズを装着したことを検出したときに電源供給端子に電圧を印加することにより、レンズが装着されていないとき確実に電源供給端子に電圧が印加されないようにしたテレビジョンカメラが記載されている。
【０００４】
また、特許文献２には、レンズとの間で通信を行うことによりレンズの動作を制御し、所定時間を超えてレンズと通信することができないときに、電源供給を遮断することにより、レンズが装着されていないとき確実に電源供給端子に電圧が印加されないようにするカメラシステムが記載されている。
【０００５】
【特許文献１】特開平１０―２７１３６６号公報
【特許文献２】特開平７―２５３６０８号公報
【発明の開示】
【発明が解決しようとする課題】
【０００６】
ところで、レンズが着脱可能な撮像装置には、例えばレンズのフォーカスや絞りなどの制御を、垂直同期信号の周期など撮像処理の仕様に応じて行うものがある。このような撮像装置では、レンズと撮像装置との接合面に通信を行うための端子が多数必要である。
【０００７】
このような撮像処理の仕様に応じて光学素子を駆動させるレンズ装置が撮像装置と着脱可能に装着される撮像システムでは、上述した特許文献１に記載されたテレビジョンカメラのように、接合面にレンズの装着を検出する複数の検出手段を設けることが困難であり、仮に実現したとしても接合面に省スペース化を図る必要があり、多数の部品を配置するためコスト高となってしまった。
【０００８】
また、特許文献２に記載されたカメラシステムでは、電源供給を遮断するまでに所定の時間を要し、カメラ本体からレンズが外されたときに瞬時に電源供給端子に電圧が印加されないようにすることができかった。
【０００９】
本発明は、このような実情に鑑みて提案されたものであり、撮像処理の仕様に応じて光学素子を駆動させるレンズ装置が撮像装置と着脱可能に装着される撮像システムにおいて、低コストで、撮像装置から着脱可能なレンズ装置が外されたときに瞬時に電源供給を遮断する撮像装置、撮像装置の制御方法、レンズ装置、レンズ装置の制御方法、及び、撮像システムを提供することを目的とする。
【課題を解決するための手段】
【００１０】
上述した課題を解決するための手段として、本発明に係る撮像装置は、撮像処理の仕様に応じて光学素子を駆動させる駆動手段を内蔵するレンズ装置が、着脱可能な撮像装置において、レンズ装置に内蔵された駆動手段と電気的に接続される接続端子と、接続端子を介してレンズ装置に内蔵された駆動手段と電気的に接続されたことを検出する接続検出手段と、接続検出手段による検出結果に基づいて、レンズ装置に内蔵された駆動手段に電源を供給する制御手段と、接続検出手段に用いられる接続端子を介して、仕様に関する情報を、レンズ装置に内蔵された駆動手段に送信する仕様送信手段とを備える。
【００１１】
また、本発明に係る撮像装置の制御方法は、撮像処理の仕様に応じて光学素子を駆動させる駆動手段を内蔵するレンズ装置が、着脱可能な撮像装置の制御方法において、接続端子を介してレンズ装置に内蔵された駆動手段と電気的に接続されたことを検出する接続検出ステップと、接続検出ステップによる検出結果に基づいて、レンズ装置に内蔵された駆動手段に電源を供給する電源供給ステップと、接続検出ステップで用いられる接続端子を介して、仕様に関する情報をレンズ装置に内蔵された駆動手段に送信する仕様送信ステップとを有する。
【００１２】
また、本発明に係るレンズ装置は、撮像装置と着脱可能なレンズ装置において、撮像装置と電気的に接続される接続端子と、接続端子を介して撮像装置と電気的に接続されたことを、撮像装置に通知する接続通知手段と、接続通知手段が電気的に接続されたことを通知した撮像装置から供給される電源によって光学素子を駆動させる駆動手段と、接続通知手段に用いられる接続端子を介して送信されてくる撮像装置の仕様に関する情報を受信する仕様受信手段とを備え、駆動手段は、仕様受信手段により受信された仕様に関する情報に応じて光学素子を駆動させることを特徴とする。
【００１３】
また、本発明に係るレンズ装置の制御方法は、撮像装置と着脱可能なレンズ装置の制御方法において、接続端子を介して撮像装置と電気的に接続されたことを、撮像装置に通知する接続通知ステップと、接続通知ステップが電気的に接続されたことを通知した撮像装置から供給される電源によって光学素子を駆動させる駆動ステップと、接続通知ステップに用いられる接続端子を介して送信されてくる撮像装置の仕様に関する情報を受信する仕様受信ステップとを有し、駆動ステップでは、仕様受信ステップにより受信された仕様に関する情報に応じて光学素子を駆動させることを特徴とする。
【００１４】
また、本発明に係る撮像システムは、撮像装置と、該撮像装置と着脱可能なレンズとからなる撮像システムにおいて、レンズ装置は、撮像装置と電気的に接続される接続端子と、接続端子を介して撮像装置と電気的に接続されたことを撮像装置に通知する接続通知手段と、接続通知手段が電気的に接続されたことを通知した撮像装置から供給される電源によって光学素子を駆動させる駆動手段と、接続通知手段に用いられる接続端子を介して送信されてくる該撮像装置の仕様に関する情報を受信する仕様受信手段と有し、駆動手段は、仕様受信手段により受信された仕様に関する情報に応じて光学素子を駆動させ、撮像装置は、レンズ装置の駆動手段と電気的に接続される接続端子と、接続端子を介してレンズ装置の駆動手段と電気的に接続されたことを検出する接続検出手段と、接続検出手段による検出結果に基づいてレンズ装置の駆動手段に電源を供給する制御手段と、接続検出手段に用いられる接続端子を介して、仕様に関する情報をレンズ装置の仕様受信手段に送信する仕様送信手段とを有することを特徴とする。
【発明の効果】
【００１５】
本発明は、撮像装置とレンズ装置に内蔵されている駆動手段が接続されていることを検出するための接続端子を、レンズ装置側に撮像装置の仕様に関する情報を送受信するための端子として兼用するとともに、接続端子を用いた検出結果によりレンズ装置が内蔵する駆動手段に電源を供給するので、撮像装置からレンズ装置が外されたときに瞬時に電源供給を遮断する処理を、低コストで実現することができる。
【発明を実施するための最良の形態】
【００１６】
以下、本発明を実施するための最良の形態について、図面を参照しながら詳細に説明する。本発明が適用された撮像装置は、撮像処理の仕様に応じて動作するレンズが着脱可能な撮像装置である。以下では、図１及び図２に示すような、本発明に係る撮像システムに対応するカメラシステム１を用いて本発明を実施するための最良の形態について説明する。ここで、図１（Ａ）はカメラシステム１の正面図であり、図１（Ｂ）はカメラシステム１の背面図である。また、図２（Ａ）はカメラシステム１の左側面図であり、図２（Ｂ）はカメラシステム１の右側面図であり、図２（Ｃ）はカメラシステム１の平面図である。
【００１７】
カメラシステム１は、本発明に係る撮像装置に対応するカメラボディ１００と、このカメラボディ１００に着脱可能に装着される本発明に係るレンズ装置に対応するレンズ装置１１０とを備える。
【００１８】
カメラボディ１００は、後述するレンズ装置１１０によって集光される被写体像を撮像して画像信号を生成する撮像処理装置であり、この筐体に、ケーブル接続部１０１と、記録メディア格納部１０２と、外部メディア接続部１０３と、操作入力部１０４と、マイクロフォン１０５と、表示ファインダー１０６と表示パネル１０７とからなる表示部１０８と、マウント部１０９とが設けられている。
【００１９】
ケーブル接続部１０１は、例えば電源供給用のケーブルが接続されたり、映像信号や音声信号を伝送するケーブルが接続される。カメラボディ１００は、ケーブル接続部１０１を介して、外部から電源供給を受けたり、図示しない外部の表示装置に映像信号や音声信号を出力する。
【００２０】
記録メディア格納部１０２は、カメラボディ１００により撮像された画像信号を記録する磁気記録テープなどの記録メディアを格納する。
【００２１】
外部メディア接続部１０３は、上述した記録メディア格納部１０２に格納される記録メディア以外の記録メディア、例えばハードディスクドライブやフラッシュメモリドライブなどをシューを介して接続する。カメラボディ１００は、外部メディア接続部１０３を介して外部メディアに画像信号を供給する。
【００２２】
操作入力部１０４は、複数のスイッチやボタンなどからなり、例えば、カメラボディ１００の電源のオンオフ、撮像モードとビデオ再生モードとの切り替え、撮像処理や音声処理に関する設定変更などの操作命令がユーザから入力される。
【００２３】
マイクロフォン１０５は、音を集音して、集音した音を音声信号として電気信号に変換する。マイクロフォン１０５により変換された音声信号は、図示しないカメラボディ１００が備える音声処理部によって所定の処理が施され、記録メディア格納部１０２に格納された記録メディアや、外部メディア接続部１０３により接続された記録メディアなどに記録される。
【００２４】
表示部１０８は、表示ファインダー１０６と収納可能な表示パネル１０７とからなる。表示ファインダー１０６と表示パネル１０７とは、例えば、液晶表示ファインダーや液晶表示パネルなどであって、カメラボディ１００によって撮像された映像を表示する。カメラボディ１００による撮像画像の画角は、表示ファインダー１０６や表示パネル１０７により表示される撮像画像がユーザに視認されることにより、ユーザによって決められる。また、表示ファインダー１０６と表示パネル１０７とは、カメラボディ１００に係る設定情報をユーザに視認可能に表示する。
【００２５】
また、表示部１０８には、表示パネル１０７が収納される収納部に、図示しない複数のスイッチやボタンが設けられている。カメラボディ１００では、このスイッチやボタンを介して、例えば記録メディア格納部１０２に格納されている磁気記録テープに記録されている画像データの再生、巻き戻し、早送り等の操作命令がユーザから入力される。
【００２６】
マウント部１０９は、カメラボディ１００の正面部に設けられており、後述するレンズ装置１１０が着脱可能に取り付けられる部分である。本実施形態に係るカメラボディ１００では、マウント部１０９を介してレンズ装置１１０が装着された状態で、予期しない着脱動作を防止するため、このマウント部１０９に設けられているレバーがユーザによって回転されることによってレンズ装置１１０が締め付けられるような構造となっている。
【００２７】
以上のような構成からなるカメラボディ１００には、その背面部に動作源となる電源を供給するためのバッテリ１２０が装着される。
【００２８】
レンズ装置１１０は、被写体からの光を、装着されたカメラボディ１００の筐体の内部に設けられている撮像素子に集光するため、その筐体の内側に複数の光学素子が設けられている。また、レンズ装置１１０には、その筐体の外側に、フォーカスリング１１１とズームリング１１２とアイリスリング１１３とズームコントロールレバー１１４とが設けられている。さらに、レンズ装置１１０は、後述するレンズ駆動部５００が内蔵されており、このレンズ駆動部５００によって各光学素子を駆動させる。
【００２９】
フォーカスリング１１１は、ユーザによって回転され、回転角度に応じたフォーカス位置情報が後述するフォーカスリングセンサ５４０により検出される。また、ズームリング１１２は、ユーザによって回転され、回転角度に応じたズーム位置情報をレンズ駆動部５００に供給する。また、アイリスリング１１３は、ユーザによって回転され、回転角度に応じた絞り値情報をレンズ駆動部５００に供給する。また、ズームコントロールレバー１１４は、ユーザによる押圧動作に応じたズーム位置情報をレンズ駆動部５００に供給する。
【００３０】
次に、レンズ装置１１０と、このレンズ装置１１０に着脱可能に装着されるカメラボディ１００のマウント部１０９との接合面について、図３を参照して説明する。
【００３１】
図３（Ａ）は、マウント部１０９の接合面２００を示した図である。
【００３２】
マウント部１０９の接合面２００は、中心部に保護ガラス２０４を有する同心円形状からなり、レンズ装置１１０に内蔵されているレンズ駆動部５００と電気的に接続するための複数の接続端子からなる接続端子群２０１、２０２と、マウント部１０９に設けられたレバーが回転されることによりレンズ装置１１０が締め付けられると押圧される押圧スイッチ２０５とが設けられている。なお、押圧スイッチ２０５は、レンズ装置１１０が装着されると押圧されるようなものであれば、上述したレバーが回転されることのよって押圧されるものでなくてもよい。
【００３３】
接続端子群２０１は、装着されたレンズ装置１１０に内蔵されているレンズ駆動部５００に電源を供給するための複数の接続端子からなる。
【００３４】
接続端子群２０２は、装着されたレンズ装置１１０に内蔵されているレンズ駆動部５００の動作を制御するための制御線と繋がっている接続端子からなる。
【００３５】
また、接続端子群２０２の中の接続端子２０３は、カメラボディ１００からレンズ装置１１０に内蔵されているレンズ駆動部５００に、カメラボディ１００の仕様に関する情報を送信するための接続端子である。具体的に、接続端子２０３は、カメラボディ１００の仕様に関する情報として、映像信号がＮＴＳＣ又はＰＡＬであるかをレンズ装置１１０に内蔵されているレンズ駆動部５００に通知するための端子である。また、カメラボディ１００は、この接続端子２０３を介して、後述するように、レンズ装置１１０に内蔵されているレンズ駆動部５００が電気的に接続されたことをレンズ装置１１０側から通知される。
【００３６】
なお、映像信号がＨＤの場合、ＮＴＳＣを示す情報は、１秒当たり６０フィールドから構成されている情報（以下、６０ｉ）を示すものとし、ＰＡＬを示す情報は、１秒当たり５０フィールドから構成されている情報（以下、５０ｉ）を示すものとする。
【００３７】
また、接続端子群２０１及び接続端子群２０２を構成する接続端子のうち数本は、接地されている。また、接続端子２０３は、ＮＴＳＣ（ＨＤの場合は６０ｉ）／ＰＡＬ（ＨＤの場合は５０ｉ）を通知するための接続端子として用いられる場合に限定されず、製品仕様の差異化のためカメラボディ１００からレンズ装置１１０の動作の一部を許可あるいは拒否する信号などの、カメラボディ１００の仕様に関する情報をレンズ装置１１０側に送信する信号であってもよい。
【００３８】
押圧スイッチ２０５は、レンズ装置１１０が装着されると押圧される。カメラボディ１００は、この押圧スイッチ２０５が押圧されることによって後述するようにレンズ装置１１０が装着されたことを検出する。
【００３９】
保護ガラス２０４は、例えば、埃などが内部に入るのを防止するため、接合面２００の中心部に設けられている。また、保護ガラス２０４は、レンズ装置１１０により集光される光が入射される。この入射方向の延長上には、ＣＣＤやＣＭＯＳなどの撮像素子が配置されている。
【００４０】
以上のようなマウント部１０９の接合面２００に接合するレンズ装置１１０の接合面２１０は、図３（Ｂ）に示すような構成となっている。すなわち、レンズ装置１１０の接合面２１０は、保護ガラス２０４と同様の形状からなるレンズ群２１４を有する同心円形状からなり、カメラボディ１００と電気的に接続するための複数の接続端子からなる接続端子群２１１、２１２と、カメラボディ１００に装着されたとき上述した押圧スイッチ２０５を押圧する押圧部２１５とが設けられている。
【００４１】
接続端子群２１１を構成する各接続端子は、それぞれ、カメラボディ１００が装着されたとき、カメラボディ１００の接続端子群２０１を構成する各接続端子と接触するように、接合面２１０に配置されている。すなわち、カメラシステム１では、カメラボディ１００側の接続端子群２０１と、レンズ装置１１０側の接続端子群２１１とが、接触した状態で電気的に接続されることによって、カメラボディ１００からレンズ装置１１０に内蔵されているレンズ駆動部５００に電源が供給されることとなる。
【００４２】
接続端子群２１２を構成する各接続端子は、それぞれ、カメラボディ１００が装着されたとき、カメラボディ１００の接続端子群２０２を構成する各接続端子と接触するように、接合面２１０に配置されている。なお、接続端子群２１２の中の接続端子２１３は、カメラボディ１００側の接続端子２０３と接触する位置に配置されている。
【００４３】
押圧部２１５は、カメラボディ１００に装着されると、カメラボディ１００側に設けられている押圧スイッチ２０５を押圧する。
【００４４】
以上のようにして、カメラボディ１００とレンズ装置１１０とが装着されることによって、カメラボディ１００側に設けられた接続端子と、レンズ装置１１０側に設けられた接続端子とが接触して電気的に接続可能となる。
【００４５】
また、カメラシステム１では、カメラボディ１００がレンズ装置１１０の動作を制御するため、図４に示すような処理部を有する。
【００４６】
すなわち、カメラボディ１００は、電源供給スイッチ４１０と、出力用スイッチ４２０と、入力用スイッチ４３０と、接続検出／仕様送信部４４０と、装着検出部４５０と、カメラ側制御部４６０とを備える。
【００４７】
電源供給スイッチ４１０は、上述した電源供給用の接続端子からなる接続端子群２０１と繋がっている。また、電源供給スイッチ４１０は、後述するようにカメラ側制御部４６０によってオンオフが制御され、接続端子群２０１に電圧を印加して、レンズ装置１１０に内蔵されているレンズ駆動部５００に電源を供給する。
【００４８】
出力用スイッチ４２０は、上述した接続端子群２０２のうち、制御信号をレンズ装置１１０側に送信する制御線の接続端子と繋がっている。出力用スイッチ４２０は、後述するようにカメラ側制御部４６０によってオンオフが制御され、接続端子群２０２の接続端子を介して、レンズ装置１１０側に制御信号を供給する。
【００４９】
入力用スイッチ４３０は、上述した接続端子群２０２のうち、制御信号をレンズ装置１１０側から受信する制御線の接続端子と繋がっている。入力用スイッチ４３０は、後述するようにカメラ側制御部４６０によってオンオフが制御され、接続端子群２０２の接続端子を介して、レンズ装置１１０側から制御信号を受信する。
【００５０】
接続検出／仕様送信部４４０は、上述した接続端子群２０２の中の接続端子２０３と繋がっており、この接続端子２０３を介して、レンズ装置１１０が電気的に接続されたことを検出するとともに、レンズ装置１１０にカメラボディ１００に関する仕様情報を送信する。接続検出／仕様送信部４４０は、カメラ側制御部４６０から仕様情報が供給され、この仕様情報をレンズ装置１１０側に送信する。また、接続検出／仕様送信部４４０は、レンズ装置１１０が電気的に接続されたことを検出して、この検出情報をカメラ側制御部４６０に供給する。
【００５１】
装着検出部４５０は、押圧スイッチ２０５と接続されており、押圧スイッチ２０５が押圧されたことを検出する。装着検出部４５０は、押圧スイッチ２０５の押圧動作によって、レンズ装置１１０が装着されたことを検出し、この検出結果をカメラ側制御部４６０に供給する。
【００５２】
カメラ側制御部４６０は、接続検出／仕様送信部４４０及び装着検出部４５０による検出結果に基づいて、電源供給スイッチ４１０、出力用スイッチ４２０、及び、入力用スイッチを制御する。
【００５３】
また、カメラ側制御部４６０は、図５に示すフローチャートに従って、電源供給スイッチ４１０、出力用スイッチ４２０、及び、入力用スイッチ４３０のオンオフを制御する。なお、カメラ側制御部４６０は、図５に示すようなフローチャートに従った処理を、例えば垂直同期信号ＶＤに同期して繰り返し行う。
【００５４】
ステップＳ１において、カメラ側制御部４６０は、接続検出／仕様送信部４４０及び装着検出部４５０による検出結果から、レンズ装置１１０が装着されているか否かを判断する。
【００５５】
具体的に、カメラ側制御部４６０は、マウント部１０９に装着されたレンズ装置１１０の動作を制御するため、装着検出部４５０によりレンズ装置１１０が装着されたことが検出され、かつ、接続検出／仕様送信部４４０により接続端子２０３を介してレンズ装置１１０と電気的に接続されたことが検出されたときのみ、電源供給スイッチ４１０、出力用スイッチ４２０、及び、入力用スイッチ４３０をオンにして、レンズ装置１１０に内蔵されているレンズ駆動部５００に電源を供給する。
【００５６】
また、カメラ側制御部４６０は、レンズ装置１１０に内蔵されているレンズ駆動部５００を動作させるために電源を供給するとともに、制御信号として、例えばカメラボディ１００が撮像する画像信号の垂直同期信号ＶＤを、このレンズ駆動部５００に供給する。このように垂直同期信号ＶＤを供給するのは、単位画像であるフレーム又はフィールドに同期してレンズ装置１１０のフォーカス位置、ズーム位置、及び、絞り値を変更することが、画像を撮像する上で望ましいからである。
【００５７】
そして、カメラ側制御部４６０は、レンズ装置１１０が装着されていると判断したときステップＳ２に進み、レンズ装置１１０が装着されていないと判断したときステップＳ４に進む。
【００５８】
ステップＳ２において、カメラ側制御部４６０は、電源供給スイッチ４１０をオンにしてステップＳ３に進む。すなわち、カメラ側制御部４６０は、レンズ装置１１０に内蔵されているレンズ駆動部５００に電源を供給していないときは電源供給を開始し、レンズ装置１１０に内蔵されているレンズ駆動部５００に電源を供給しているときは電源供給を続ける。
【００５９】
ステップＳ３において、カメラ側制御部４６０は、出力用スイッチ４２０及び入力用スイッチ４３０をオンにして、本処理工程を終了する。すなわち、カメラ側制御部４６０は、レンズ装置１１０に内蔵されているレンズ駆動部５００との間で制御信号の送受信を行っていないときは制御信号の送受信を開始し、レンズ装置１１０に内蔵されているレンズ駆動部５００との間で制御信号の送受信を行っているときは制御信号の送受信を続ける。
【００６０】
ステップＳ４において、カメラ側制御部４６０は、出力用スイッチ４２０及び入力用スイッチ４３０をオフにして、ステップＳ５に進む。すなわち、カメラ側制御部４６０は、レンズ装置１１０に内蔵されているレンズ駆動部５００との間で制御信号の送受信を行っていないときは制御信号の送受信を行っていない状態を保持し、レンズ装置１１０に内蔵されているレンズ駆動部５００との間で制御信号の送受信を行っているときはこの送受信を終了する。
【００６１】
ステップＳ５において、カメラ側制御部４６０は、電源供給スイッチ４１０をオフにして本処理工程を終了する。すなわち、カメラ側制御部４６０は、レンズ装置１１０に内蔵されているレンズ駆動部５００に電源を供給していないときは電源を供給していない状態を保持し、レンズ装置１１０に内蔵されているレンズ駆動部５００に電源を供給しているときはこの電源供給を終了する。
【００６２】
カメラ側制御部４６０は、上述したように、装着検出部４５０によりレンズ装置１１０が装着されたことが検出され、かつ、接続検出／仕様送信部４４０により接続端子２０３を介してレンズ装置１１０に内蔵されているレンズ駆動部５００と電気的に接続されたことが検出されたときのみ、このレンズ駆動部５００に電源を供給してその動作を制御する。これにより、カメラ側制御部４６０では、仮にカメラボディ１００とレンズ装置１１０とが外れている状態で押圧スイッチ２０５が戻らずにオンの状態を保持していたとしても、接続検出／仕様送信部４４０による検出結果からレンズ装置１１０が外されたことを検出して、電源供給スイッチ４１０、出力用スイッチ４２０及び、入力用スイッチ４３０を確実にオフにすることができる。
【００６３】
また、カメラ側制御部４６０は、以上のようなステップＳ１からステップＳ５に係る処理を行うことによって、図６に示すように、電源供給スイッチ４１０をオンにしてレンズ装置１１０に内蔵されているレンズ駆動部５００に電源供給を開始した後に、出力用スイッチ４２０及び入力用スイッチ４３０をオンにしてレンズ装置１１０に内蔵されているレンズ駆動部５００と通信を開始する。またカメラ側制御部４６０は、電源供給スイッチ４１０をオフにしてレンズ装置１１０に内蔵されているレンズ駆動部５００への電源供給を終了する前に、入力用スイッチ４３０及び出力用スイッチ４２０をオフにしてレンズ装置１１０に内蔵されているレンズ駆動部５００と行っている通信を終了する。このような処理を行うことで、カメラ側制御部４６０は、レンズ装置１１０との着脱時においてレンズ装置１１０に内蔵されているレンズ駆動部５００が予期せぬ動作をしてしまうのを防止することができる。
【００６４】
以上のようなカメラ側制御部４６０から供給される電源によって駆動するレンズ駆動部５００は、接続通知／仕様受信部５１０と、レンズ側制御部５２０と、フォーカス／ズームドライバ５３０と、フォーカスリングセンサ５４０と、手ブレ補正ドライバ５５０と、アイリスドライバ５６０とを備える。
【００６５】
接続通知／仕様受信部５１０は、上述した接続端子群２１２の中の接続端子２１３と繋がっており、この接続端子２１３を介して、カメラボディ１００と電気的に接続されたことをこのカメラボディ１００に通知するとともに、このカメラボディ１００から送信されてくる仕様情報を受信する。接続通知／仕様受信部５１０は、カメラボディ１００から受診した仕様情報をレンズ側制御部５２０に送信する。
【００６６】
レンズ側制御部５２０は、接続端子群２１１を介して電源が供給されることによって、次の動作を行う。
【００６７】
まず、レンズ側制御部５２０は、カメラ側制御部４６０から垂直同期信号ＶＤを含む制御信号が供給される。レンズ側制御部５２０は、接続通知／仕様受信部５１０から供給される仕様情報に基づいて垂直同期信号ＶＤとの同期を図る。ここで、仕様情報が、カメラボディ１００が処理する映像信号がＮＴＳＣ又はＰＡＬであるか、すなわち垂直同期信号ＶＤの違いを示しているので、レンズ側制御部５２０は、仕様情報に基づいて、垂直同期信号ＶＤと同じ周波数の信号を分周器などによって生成した後、位相をずらすことによって、垂直同期信号ＶＤに対して引き込みを行う。
【００６８】
そして、レンズ側制御部５２０は、垂直同期信号ＶＤに同期した制御信号をフォーカス／ズームドライバ５３０と、フォーカスリングセンサ５４０と、手ブレ補正ドライバ５５０と、アイリスドライバ５６０にそれぞれ供給する。
【００６９】
具体的に、レンズ側制御部５２０は、垂直同期信号ＶＤを逓倍した同期信号と、この逓倍した同期信号に同期して、上述したズームリング１１２及びズームコントロールレバー１１４の動作に応じたズーム位置を示す信号とをフォーカス／ズームドライバ５３０に供給する。例えば、映像信号がＮＴＳＣのとき、レンズ側制御部５２０は、６０［Ｈｚ］を４逓倍した２４０［Ｈｚ］の同期信号と、２４０［Ｈｚ］でズーム位置を更新する制御信号とをフォーカス／ズームドライバ５３０に供給する。
【００７０】
また、レンズ側制御部５２０は、垂直同期信号ＶＤに同期したタイミングで、フォーカスリングセンサ５４０にフォーカスリング１１１の動作に応じたフォーカス位置を検出される。そして、レンズ側制御部５２０は、フォーカスリングセンサ５４０による検出結果に応じて、フォーカス／ズームドライバ５３０を駆動してフォーカス位置を制御する。
【００７１】
また、レンズ側制御部５２０は、手ブレ補正ドライバ５５０に、現在のフォーカス位置、ズーム位置、及び、絞り値のうち少なくとも一の情報を制御信号として供給する。なお、手ブレ補正ドライバ５５０は、垂直同期信号ＶＤに対して非同期で手ブレ補正処理を行うが、レンズ側制御部５２０との間では垂直同期信号ＶＤと同期にして制御信号の送受信を行う。
【００７２】
また、レンズ側制御部５２０は、垂直同期信号ＶＤに同期して、上述したアイリスリング１１３の動作に応じた絞り値を示す信号をアイリスドライバ５６０に供給する。
【００７３】
レンズ側制御部５２０から制御信号が供給されるフォーカス／ズームドライバ５３０、フォーカスリングセンサ５４０、手ブレ補正ドライバ５５０、及び、アイリスドライバ５６０は、次のように動作する。
【００７４】
フォーカス／ズームドライバ５３０は、接続端子群２１１から電源が供給され、レンズ側制御部５２０から供給される制御信号に応じたフォーカス位置、ズーム位置になるように各光学素子を駆動させる。
【００７５】
フォーカスリングセンサ５４０は、接続端子群２１１から電源が供給され、フォーカスリング１１１の動作に応じたフォーカス位置を検出して、この検出結果を垂直同期信号ＶＤに同期してレンズ側制御部５２０に供給する。
【００７６】
手ブレ補正ドライバ５５０は、接続端子群２１１から電源が供給され、レンズ側制御部５２０から供給される制御信号に応じて、所定の手ブレ補正処理を行うように各光学素子を駆動させる。
【００７７】
アイリスドライバ５６０は、接続端子群２１１から電源が供給され、レンズ側制御部５２０から供給される制御信号に応じた絞り値なるように、各光学素子、具体的にはレンズ装置１１０の絞り機構を駆動させる。
【００７８】
次に、カメラボディ１００とレンズ装置１１０との電気的な接続を検出するとともに、仕様情報の通信を１対の接続端子２０３、２１３で行う接続検出／仕様送信部４４０、及び、接続通知／仕様受信部５１０は、例えば図７に示すような回路構成によって実現される。
【００７９】
接続検出／仕様送信部４４０は、カメラ側制御部４６０からの仕様情報を送信する送信用端子３０１と、レンズ装置１１０に内蔵されているレンズ駆動部５００と電気的に接続されたことを検出する検出用端子３０２と、３個のトランジスタＱ１〜Ｑ３と、合計７個の抵抗素子Ｒ１、Ｒ２、Ｒ３、Ｒ５、Ｒ６、Ｒ７、Ｒ８とから構成されている。
【００８０】
送信用端子３０１は、映像信号がＮＴＳＣであることを示す仕様情報の場合、カメラ側制御部４６０によって電圧レベルがＨＩＧＨにされ、映像信号がＰＡＬであることを示す仕様情報の場合、カメラ側制御部４６０によって電圧レベルがＬＯＷにされる。
【００８１】
検出用端子３０２は、その電圧レベルがＨＩＧＨのとき、レンズ駆動部５００と電気的に接続されたという検出結果をカメラ側制御部４６０に供給する。また、検出用端子３０２の電圧レベルがＬＯＷのとき、レンズ駆動部５００と電気的に接続されていないものとする。
【００８２】
トランジスタＱ１は、ｐｎｐ型のトランジスタであって、そのコレクタ側が電源正極端と接続され、ベース側が接点３０６を介して送信用端子３０１と接続され、エミッタ側が抵抗素子Ｒ５と接続されている。
【００８３】
トランジスタＱ２は、ｐｎｐ型のトランジスタであって、そのコレクタ側が電源正極端と接続され、ベース側が抵抗素子Ｒ６と接続され、エミッタ側が抵抗素子Ｒ７と接続されている。
【００８４】
トランジスタＱ３は、ｐｎｐ型のトランジスタであって、そのコレクタ側が接点３０７と接続され、ベース側が接点３０８と接続され、エミッタ側が接地端と接続されている。
【００８５】
抵抗素子Ｒ１は、抵抗値が１００［ｋΩ］の抵抗素子であり、電源正極端と接点３０６の間に接続されている。
【００８６】
抵抗素子Ｒ２は、抵抗値が１０［ｋΩ］の抵抗素子であり、電源正極端と接点３０７との間に接続されている。また、抵抗素子Ｒ２は、接点３０７を介して、トランジスタＱ３のコレクタと、検出用端子３０２と接続されている。
【００８７】
抵抗素子Ｒ３は、例えば抵抗値が４７［ｋΩ］の抵抗素子であり、電源正極端と接点３０４との間に接続されている。また抵抗素子Ｒ３は、接点３０４を介して、抵抗素子Ｒ５、抵抗素子Ｒ６、及び、接続端子２０３とそれぞれ接続されている。
【００８８】
抵抗素子Ｒ５は、抵抗値が１０［ｋΩ］の抵抗素子であり、トランジスタＱ１のエミッタ側と接点３０４との間に接続されている。
【００８９】
抵抗素子Ｒ６は、抵抗値が１［ｋΩ］の抵抗素子であり、接点３０４とトランジスタＱ２のベースとの間に接続されている。
【００９０】
抵抗素子Ｒ７は、抵抗値が４．７［ｋΩ］の抵抗素子であり、トランジスタＱ２のエミッタと接点３０８との間に接続されている。また、抵抗素子Ｒ７は、接点３０８を介して、抵抗素子Ｒ８と接続されている。
【００９１】
抵抗素子Ｒ８は、抵抗値が４．７［ｋΩ］の抵抗素子であり、接点３０８と接地端との間に接続されている。
【００９２】
また、接続通知／仕様受信部５１０は、カメラ側制御部４６０から送信されてくる仕様情報を受信する受信用端子３０３と、トランジスタＱ４と、合計２個の抵抗素子Ｒ４、Ｒ１０から構成されている。
【００９３】
受信用端子３０３は、電圧レベルがＬＯＷのとき映像信号がＮＴＳＣであることを示す仕様情報として受信され、電圧レベルがＨＩＧＨのとき映像信号がＰＡＬであることを示す仕様情報として受信される。
【００９４】
トランジスタＱ４は、ｐｎｐ型のトランジスタであって、そのコレクタ側が接点３１０を介して受信用端子３０３と接続され、ベース側が接点３０９を介して接続端子２０３と接続され、エミッタ側が接地端に接続されている。
【００９５】
抵抗素子Ｒ４は、抵抗値が１０［ｋΩ］の抵抗素子であり、電源正極端と接点３１０との間に接続されている。
【００９６】
抵抗素子Ｒ１０は、抵抗値が４．７［ｋΩ］の抵抗素子であり、接点３０９と接地端との間に接続されている。
【００９７】
なお、上述した回路において、電源正極端の電圧Ｖｃｃの値は２．８Ｖとし、トランジスタＱ１〜Ｑ４の直流電流増幅率ｈｆｅは十分高く、ベース電流は無視できるものとする。また、トランジスタＱ１〜Ｑ４がＯＮ状態のベース−エミッタ間の電圧をＶｆ１〜Ｖｆ４とする。また、Ｖｆ１〜Ｖｆ４は、一般的に２５℃で０．５〜０．７Ｖ程度であるので、便宜上０．７Ｖとする。
【００９８】
以上のような回路構成からなる接続検出／仕様送信部４４０、及び、接続通知／仕様受信部５１０は、次のように動作する。
【００９９】
まず、カメラボディ１００とレンズ装置１１０とが外れていて接続端子２０３、２１３が開放状態のとき、接続検出／仕様送信部４４０では、送信用端子３０１の電圧レベルがＬＯＷ／ＨＩＧＨに拘わらず接点３０４の電位がＶｃｃとほぼ同様となっている。したがって、接続検出／仕様送信部４４０では、トランジスタＱ３のベースにかかる電圧Ｖｂ３が、抵抗素子Ｒ７と抵抗素子Ｒ８の抵抗値に応じて下記の式（１）から、１．０５［Ｖ］となっている。
【０１００】
Ｖｂ３＝（Ｖｃｃ−Ｖｆ２）×Ｒ８／（Ｒ７＋Ｒ８）  ・・・式（１）
【０１０１】
すなわち、トランジスタＱ３は、ＯＮとなり、検出用端子３０２の電圧レベルはＬＯＷとなっている。なお、トランジスタＱ３がＯＮになると、電圧Ｖｂ３は電圧Ｖｆ３にクランプされる。
【０１０２】
次に、カメラボディ１００とレンズ装置１１０とが装着していて接続端子２０３、接続端子２１３が接触して電気的に接続された状態で、接続通知／仕様受信部５１０では、送信用端子３０１の電圧レベルがＨＩＧＨになると、トランジスタＱ４がＯＮとなり、その結果としてトランジスタＱ４にかかるベース電圧Ｖｂ４が電圧Ｖｆ４にクランプされる。したがって、接続通知／仕様受信部５１０では、接点３０５の電位が（Ｖｆ４−Ｖｆ２）［Ｖ］となるため、トランジスタＱ３がＯＦＦとなり、検出用端子３０２がＨＩＧＨとなる。
【０１０３】
ここで、送信用端子３０１がＬＯＷのとき、接点３０４の電位Ｖ３０４は、下記の式（２）から、約０．２５［Ｖ］となる。
【０１０４】
Ｖ３０４＝Ｖｃｃ×Ｒ１０／（Ｒ３＋Ｒ１０）  ・・・式（２）
【０１０５】
また、トランジスタＱ３のベースにかかる電圧は、送信用端子３０１がＨＩＧＨのときよりも低くなり、トランジスタＱ３はＯＦＦとなり、検出用端子３０２はＨＩＧＨとなる。このようにして、カメラボディ１００とレンズ装置１１０とが装着している場合、検出用端子３０２の電圧レベルは、送信用端子３０１の電圧レベルがＨＩＧＨ／ＬＯＷによらずＨＩＧＨとなる。すなわち、接続端子２０３、２１３は、カメラボディ１００とレンズ装置１１０とが装着されていることを、カメラボディ１００側に検出されるための端子として機能する。
【０１０６】
なお、接続通知／仕様受信部５１０は、接続端子２０３、２１３とが接触することによってカメラボディ１００側に電気的に接続されていることを通知するような回路構成であればよく、受動素子である抵抗素子Ｒ１０に電流が流れることによって、カメラボディ１００側に電気的に接続されていることを検出させるような構成に限定されるものではない。
【０１０７】
また、カメラボディ１００とレンズ装置１１０とが装着されている状態で、送信用端子３０１の電圧レベルがＬＯＷのとき、トランジスタＱ４のベースにかかる電圧Ｖｂ４は、下記の式（３）から約０．２５［Ｖ］となる。
【０１０８】
Ｖｂ４＝Ｖｃｃ×Ｒ１０／（Ｒ３＋Ｒ１０）  ・・・式（３）
【０１０９】
このとき、トランジスタＱ４はＯＦＦとなり、その結果、受信用端子３０３の電圧レベルはＨＩＧＨとなる。
【０１１０】
一方、カメラボディ１００とレンズ装置１１０とが装着されている状態で、送信用端子３０１がＨＩＧＨのとき、電圧Ｖｂ４は、下記の式（４）から約０．８１［Ｖ］となる。
【０１１１】
Ｖｂ４＝Ｖｃｃ×（Ｒ１０／／Ｒ５）／｛Ｒ３＋（Ｒ１０／／Ｒ５）｝＋（Ｖｃｃ−Ｖｆ１）×（Ｒ１０／／Ｒ３）／｛Ｒ５＋（Ｒ１０／／Ｒ３）｝  ・・・（４）
【０１１２】
ただし、式（４）において、（Ｒ１０／／Ｒ５）はＲ１０とＲ５の並列合成抵抗値を示し、（Ｒ１０／／Ｒ３）はＲ１０とＲ３の並列合成抵抗値を示している。
【０１１３】
このとき、トランジスタＱ４は、ＯＮとなる。その結果、受信用端子３０３の電圧レベルはＬＯＷとなる。なお、トランジスタＱ４がＯＮになると、電圧Ｖｂ４は電圧Ｖｆ４にクランプされる。
【０１１４】
このようにして、接続端子２０３、２１３は、カメラボディ１００からレンズ装置１１０にＮＴＳＣ（ＨＤの場合は６０ｉ）／ＰＡＬ（ＨＤの場合は５０ｉ）を仕様情報として通信するための端子として機能する。
【０１１５】
以上のようにして、接続検出／仕様送信部４４０は、一の接続端子２０３を、レンズ装置１１０に内蔵されているレンズ駆動部５００が接続されていることを検出するための接続端子、及び、このレンズ駆動部５００にカメラボディ１００の撮像処理の仕様に関する情報を送信する端子として兼用することができる。
【０１１６】
また、接続通知／仕様受信部５１０は、一の接続端子２１３を、カメラボディ１００側に接続されていることを通知するための接続端子、及び、カメラボディ１００からの撮像処理の仕様に関する情報を受信する端子として兼用することができる。
【０１１７】
そして、カメラボディ１００では、カメラ側制御部４６０が、接続端子２０３を用いた検出結果によりレンズ装置１１０に内蔵されているレンズ駆動部５００に電源を供給するので、カメラボディ１００から着脱可能なレンズ装置１１０が外されたときに瞬時に電源供給を遮断することができる。
【０１１８】
また、カメラボディ１００及びレンズ装置１１０は、上述したように、それぞれの接合面２００、２１０に互いに電気的に接続するための端子が多数必要であるため、上述したように２つの機能を１つの接続端子２０３、２１３により兼用することによって、端子数の増大を抑えることができ、接合面の省スペース化及び低コスト化を図ることができる。
【０１１９】
なお、本発明は、以上の実施形態のみに限定されるものではなく、本発明の要旨を逸脱しない範囲内において種々の変更が可能であることは勿論である。
【図面の簡単な説明】
【０１２０】
【図１】図１（Ａ）はカメラシステムの正面図であり、図１（Ｂ）はカメラシステムの背面図である。
【図２】図２（Ａ）はカメラシステムの左側面図であり、図２（Ｂ）はカメラシステムの右側面図であり、図２（Ｃ）はカメラシステムの平面図である。
【図３】カメラボディとレンズとが接合する接合面を示した図である。
【図４】カメラボディとレンズとが備える各処理部の構成を示したブロック図である。
【図５】カメラ側制御部が行う処理を説明するために供するフローチャートである。
【図６】カメラ側制御部が行う処理を説明するために供するタイムチャートである。
【図７】接続検出／仕様送信部、及び、接続通知／仕様受信部の回路構成を示した図である。
【符号の説明】
【０１２１】
１  カメラシステム、１００  カメラボディ、１０１  ケーブル接続部、１０２  記録メディア格納部、１０３  外部メディア接続部、１０４  操作入力部、１０５  マイクロフォン、１０６  表示ファインダー、１０７  表示パネル、１０８  表示部、１０９  マウント部、１１０  レンズ装置、１１１  フォーカスリング、１１２  ズームリング、１１３  アイリスリング、１１４  ズームコントロールレバー、１２０  バッテリ、２００、２１０  接合面、２０１、２０２、２１１、２１２  接続端子群、２０３、２１３  接続端子、２０４、２１４  中空部、２０５、２１５  押圧スイッチ、３０１  送信用端子、３０２  検出用端子、３０３  受信用端子、３０４〜３１０  接点、４１０  電源供給スイッチ、４２０  出力用スイッチ、４３０  入力用スイッチ、４４０  接続検出／仕様送信部、４５０  装着検出部、４６０  カメラ側制御部、５００  レンズ駆動部、５１０  接続通知／仕様受信部、５２０  レンズ側制御部、５３０  ズームドライバ、５４０  フォーカスリングセンサ、５５０  手ブレ補正ドライバ、５６０  アイリスドライバ
【図１】
2009151117.tif 000003
【図２】
2009151117.tif 000004
【図３】
2009151117.tif 000005
【図４】
2009151117.tif 000006
【図５】
2009151117.tif 000007
【図６】
2009151117.tif 000008
【図７】
2009151117.tif 000009